(57)【特許請求の範囲】
【請求項１】
表示部と、前記表示部に表示される広告情報のスケジュールファイルを取得し前記スケジュールファイルに基づいて前記表示部を制御する表示制御部を有する表示装置、
前記表示部に表示される広告情報と、該広告情報の属性情報及び表示条件情報を登録する広告情報入力装置、
前記広告情報入力装置から取得した複数の広告情報の属性情報及び表示条件情報に基づいて前記スケジュールファイルを作成するスケジュール自動作成機能を有し、前記広告情報入力装置から取得した広告情報と前記スケジュールファイルを前記表示制御部に送信するコンテンツ配信装置を備え、
前記スケジュール自動作成機能は、各広告情報の属性情報及び表示条件情報に基づいて、指定された表示年月日の所定時間内に設定された表示開始時刻に表示可能な広告情報を全て抽出し、さらに抽出された全ての広告情報に対して優先度の判定を行い、最も優先度が高いと判定された広告情報を該表示開始時刻に割り付けると共に、突発的な割り込み表示の発生により表示できなかった広告情報を表示するための代替表示時間帯を設定した前記スケジュールファイルを作成することを特徴とする広告情報表示システム。
【請求項２】
請求項１に記載の広告情報表示システムであって、広告情報の属性情報として、表示期間、表示可能時間帯、広告種別、広告主、及び１日の表示回数を含むことを特徴とする広告情報表示システム。
【請求項３】
請求項２に記載の広告情報表示システムであって、前記スケジュール自動作成機能は、属性情報に含まれる１日の表示回数を参照し、表示回数の多いものほど優先度が高いと判定することを特徴とする広告情報表示システム。
【請求項４】
請求項２に記載の広告情報表示システムであって、前記スケジュール自動作成機能は、属性情報に含まれる表示可能時間帯を参照し、表示可能時間帯の短いものほど優先度が高いと判定することを特徴とする広告情報表示システム。
【請求項５】
請求項１に記載の広告情報表示システムであって、広告情報の表示条件情報は、連続して表示することができない広告情報の条件を含むことを特徴とする広告情報表示システム。
【請求項６】
請求項１に記載の広告情報表示システムであって、前記表示制御部は、前記表示部に表示された広告情報が記録された表示ログを取得し、前記表示ログから突発的な割り込み表示の発生により表示されなかった広告情報を抽出し、該広告情報を前記代替表示時間帯に表示することを特徴とする広告情報表示システム。
【請求項７】
請求項１に記載の広告情報表示システムであって、広告情報の属性情報として、該広告情報を表示する天気条件を含み、前記スケジュール自動作成機能は、各属性情報の天気条件を参照して晴天用と雨天用のスケジュールファイルを作成し、前記表示制御部は、天気情報サーバから取得した天気情報に基づいて晴天用及び雨天用のいずれかのスケジュールファイルを選択することを特徴とする広告情報表示システム。
【請求項８】
１日に複数の広告情報が繰り返し表示される表示装置に対し、広告情報のスケジュールファイルを送信するコンテンツ配信装置のスケジュール自動作成機能における広告情報表示スケジュールの作成方法であって、
前記表示装置に表示される複数の広告情報と、該広告情報の属性情報及び表示条件情報を取得する準備ステップ、
前記表示装置に広告情報を表示する表示年月日情報を取得する第１のステップ、
前記第１のステップで取得した表示年月日において前記表示装置に広告情報を表示する表示開始時刻を設定する第２のステップ、
前記準備ステップで取得した複数の広告情報の属性情報及び表示条件情報に基づいて、前記第１のステップで取得した表示年月日において設定された表示開始時刻に表示可能な全ての広告情報を抽出する第３のステップ、
前記第３のステップで抽出された全ての広告情報に対し、それぞれの属性情報及び表示条件情報に基づいて優先度の判定を行う第４のステップ、
前記第４のステップで最も優先度が高いと判定された広告情報を該表示開始時刻に割り付ける第５のステップ、
前記第５のステップで広告情報を割り付けた表示開始時刻に対し、該広告情報の表示時間分だけ時刻を進めた次の表示開始時刻を設定する第６のステップを含み、
前記第６のステップにおいて設定された次の表示開始時刻が、前記表示装置の表示終了時刻に達するまで、前記第３のステップから前記第６のステップを繰り返し行うと共に、前記第１のステップで取得した表示年月日において少なくとも１回は、突発的な割り込み表示の発生により表示できなかった広告情報を表示するための代替表示時間帯を設定することを特徴とする広告情報表示スケジュールの作成方法。 
【発明の詳細な説明】
【技術分野】
【０００１】
本発明は、街頭、駅、公共施設等に設置された複数の表示装置に、複数の広告情報を繰り返し表示するための広告情報表示システム及び広告情報表示スケジュールの作成方法に関する。
【背景技術】
【０００２】
従来の広告情報表示システムにおいては、システムに登録された１つ１つの広告情報（以下ＣＭという）に対して編集者が手動で表示開始時刻、表示順序、回数等を設定し、スケジュール編集を行っていた。その際、各ＣＭには、広告主との契約による表示期間、表示可能時間帯、１日の表示回数等の他、連続で同じ広告種別、広告主のＣＭを表示しないといった表示条件が設けられているため、編集者はそれらの各種表示条件を遵守しながらスケジュール編集を行う必要があった。
【０００３】
また、緊急時等、突発的に別のコンテンツの割り込み表示が発生することもあり、予め設定されていた通りにＣＭが表示されず、１日に定められた表示回数を満たせないことがあった。このような場合、編集者が手動で別の時間に割り当てるといった調整作業が必要であった。
【０００４】
特許文献１には、通信ネットワークを介して広告主用端末と広告業者のサーバ、複数の電子看板装置を接続した広告情報表示システムが示されている。この例では、サーバは、広告契約内容を記憶させた契約データベースを有しており、広告主がＣＭの内容を変更したい場合に、広告主が変更したい複数のＣＭの内容と、それらを繰り返し表示する際の表示順序と表示時間を規定した表示サイクルデータ、及び広告主が広告業者と事前に結んだ広告契約番号を含む情報を、広告主用端末から前記サーバに送信する。これにより、広告主が契約した電子看板装置に表示する複数のＣＭの内容や表示形態を自由に、リアルタイムに変更できるようにしている。
【先行技術文献】
【特許文献】
【０００５】
【特許文献１】特開２００８−２７４０３号公報
【発明の概要】
【発明が解決しようとする課題】
【０００６】
上記のように、従来の広告情報表示システムにおいては、編集者が広告主との契約による各種表示条件を遵守しながら、手動で表示開始時刻、表示順序、回数等のスケジュール編集を行っていたので、ＣＭの数が増えると、編集作業に多くの時間と労力を費やしていた。また、このような従来システムでは、編集者によるヒューマンエラーが発生することがあった。このため、ＣＭのスケジュール編集を自動的に行えるシステムの開発が求められていた。
【０００７】
特許文献１に提示された広告情報表示システムでは、１つの広告主が複数のＣＭを電子看板装置に表示する契約を結んでいる際に、その枠内で複数のＣＭの内容や表示時刻、表示順序等を自由に変更することは可能である。しかしながら、同じ電子看板装置に複数の広告主が契約している場合には、他の広告主のＣＭの表示スケジュールを変更することはできないため、あくまで１つの広告主が契約したＣＭの中での変更しか行えない。
【０００８】
本発明は、上記のような課題を解決するためになされたものであり、複数の広告情報の表示スケジュールを、広告主との契約による各種表示条件を遵守しながら自動的に作成することが可能な広告情報表示システムを提供し、従来スケジュール編集作業に費やしていた時間と労力を大幅に削減し、ヒューマンエラーを削減することを目的とする。
【０００９】
また、１日に複数の広告情報が繰り返し表示される表示装置に対し、広告情報の表示スケジュールを、広告主との契約による各種表示条件を遵守しながら容易に作成することが可能な広告情報表示スケジュールの作成方法を提供することを目的とする。
【課題を解決するための手段】
【００１０】
本発明に係る広告情報表示システムは、表示部と、表示部に表示される広告情報のスケジュールファイルを取得し、スケジュールファイルに基づいて表示部を制御する表示制御部を有する表示装置と、表示部に表示される広告情報と、該広告情報の属性情報及び表示条件情報を登録する広告情報入力装置と、広告情報入力装置から取得した複数の広告情報の属性情報及び表示条件情報に基づいてスケジュールファイルを作成するスケジュール自動作成機能を有し、広告情報入力装置から取得した広告情報とスケジュールファイルを表示制御部に送信するコンテンツ配信装置を備え、スケジュール自動作成機能は、各広告情報の属性情報及び表示条件情報に基づいて、指定された表示年月日の所定時間内に設定された表示開始時刻に表示可能な広告情報を全て抽出し、さらに抽出された全ての広告情報に対して優先度の判定を行い、最も優先度が高いと判定された広告情報を該表示開始時刻に割り付けると共に、突発的な割り込み表示の発生により表示できなかった広告情報を表示するための代替表示時間帯を設定したスケジュールファイルを作成するものである。 
【００１１】
また、本発明に係る広告情報表示スケジュールの作成方法は、１日に複数の広告情報が繰り返し表示される表示装置に対し、広告情報のスケジュールファイルを送信するコンテンツ配信装置のスケジュール自動作成機能における広告情報表示スケジュールの作成方法であって、表示装置に表示される複数の広告情報と、該広告情報の属性情報及び表示条件情報を取得する準備ステップと、表示装置に広告情報を表示する表示年月日情報を取得する第１のステップと、第１のステップで取得した表示年月日において表示装置に広告情報を表示する表示開始時刻を設定する第２のステップと、準備ステップで取得した複数の広告情報の属性情報及び表示条件情報に基づいて、第１のステップで取得した表示年月日において設定された表示開始時刻に表示可能な全ての広告情報を抽出する第３のステップと、第３のステップで抽出された全ての広告情報に対し、それぞれの属性情報及び表示条件情報に基づいて優先度の判定を行う第４のステップと、第４のステップで最も優先度が高いと判定された広告情報を該表示開始時刻に割り付ける第５のステップと、第５のステップで広告情報を割り付けた表示開始時刻に対し、該広告情報の表示時間分だけ時刻を進めた次の表示開始時刻を設定する第６のステップを含み、第６のステップにおいて設定された次の表示開始時刻が、表示装置の表示終了時刻に達するまで、第３のステップから第６のステップを繰り返し行うと共に、第１のステップで取得した表示年月日において少なくとも１回は、突発的な割り込み表示の発生により表示できなかった広告情報を表示するための代替表示時間帯を設定するものである。 
【発明の効果】
【００１２】
本発明に係る広告情報表示システムによれば、複数の広告情報の属性情報及び表示条件情報に基づいて表示部に表示される広告情報のスケジュールファイルを作成するスケジュール自動作成機能を有し、このスケジュール自動作成機能により、突発的な割り込み表示の発生により表示できなかった広告情報を表示するための代替表示時間帯を設定したスケジュールファイルを作成するようにしたので、複数の広告情報の表示スケジュールを、広告主との契約による各種表示条件を遵守しながら自動的に作成することが可能であり、従来、スケジュール編集作業に費やしていた時間と労力を大幅に削減し、ヒューマンエラーを削減することができる。 
【００１３】
また、本発明に係る広告情報表示スケジュールの作成方法によれば、複数の広告情報の属性情報及び表示条件情報に基づいて、取得した表示年月日において設定された表示開始時刻に表示可能な全ての広告情報を抽出し、抽出された全ての広告情報に対し、それぞれの属性情報及び表示条件情報に基づいて優先度の判定を行い、最も優先度が高いと判定された広告情報を該表示開始時刻に割り付けると共に、突発的な割り込み表示の発生により表示できなかった広告情報を表示するための代替表示時間帯を設定するようにしたので、複数の広告情報の表示スケジュールを、広告主との契約による各種表示条件を遵守しながら容易に作成することが可能である。
【図面の簡単な説明】
【００１４】
【図１】本発明の実施の形態１に係る広告情報表示システムの構成を示す概略図である。
【図２】本発明の実施の形態１に係る広告情報表示システムのＣＭ入力装置に登録されたＣＭ属性情報と表示条件情報の例を示す図である。
【図３】本発明の実施の形態１に係るコンテンツ配信装置のスケジュール自動作成機能により作成されるスケジュールファイルの例を示す図である。
【図４】本発明の実施の形態１に係るコンテンツ配信装置のスケジュール自動作成機能によるスケジュールファイルの作成手順を示す図である。
【図５】本発明の実施の形態２に係る広告情報表示システムの表示制御装置におけるＣＭ表示回数保証機能の処理の流れを示す図である。
【図６】本発明の実施の形態２に係る広告情報表示システムのＣＭ表示回数保証機能を説明する図である。
【図７】本発明の実施の形態３に係る広告情報表示システムの構成を示す概略図である。
【発明を実施するための形態】
【００１５】
実施の形態１．
以下に、本発明の実施の形態１に係る広告情報表示システムについて、図面に基づいて説明する。図１は、本実施の形態１に係る広告情報表示システムの構成を示す概略図である。図１に示すように、広告情報表示システム１００は、ＣＭ入力装置１、コンテンツ配信装置２、複数の表示装置を構成する表示制御装置３−１、・・３−ｎ（総称して表示制御装置３）、及びモニタ４−１、・・４−ｎ（総称してモニタ４）から構成されている。
【００１６】
ＣＭ入力装置１は、広告主から提供されたＣＭを登録するものである。図１に示すように、ＣＭ入力装置１には、ＣＤ−ＲＯＭやＶＴＲ等の記録媒体に録画された画像や音声データ、あるいは広告主から通信ネットワークを介して直接送信された画像や音声データ等のＣＭ素材であるＣＭデータ（ファイル）Ｄ１と、そのＣＭ属性情報Ｄ２及び表示条件情報Ｄ３が登録される。なお、ＣＭ属性情報Ｄ２と表示条件情報Ｄ３については後に図２を用いて説明する。
【００１７】
コンテンツ配信装置２は、ＣＭ入力装置１からＣＭデータＤ１、ＣＭ属性情報Ｄ２及び表示条件情報Ｄ３を取得し、ＣＭデータＤ１をＣＭファイルサーバ２１に格納し、ＣＭ属性情報Ｄ２及び表示条件情報Ｄ３をデータサーバ２２に格納する。なお、ＣＭ入力装置１からコンテンツ配信装置２へのデータ送信手段は特に限定するものではなく、通常の有線ネットワークや、互いの設置場所が離れている場合には公衆通信回線等を介して行われる。
【００１８】
また、コンテンツ配信装置２は、データサーバ２２に格納されたＣＭ属性情報Ｄ２及び表示条件情報Ｄ３に基づいてスケジュールファイルＤ４を作成するスケジュール自動作成機能２３を有している。スケジュール自動作成機能２３は、各ＣＭデータＤ１のＣＭ属性情報Ｄ２及び表示条件情報Ｄ３に基づいて、指定された表示年月日の所定時間内に設定された表示開始時刻に表示可能なＣＭデータＤ１（ＣＭ素材）を全て抽出する。
【００１９】
さらに、抽出された全てのＣＭデータＤ１に対してそれぞれのＣＭ属性情報Ｄ２及び表示条件情報Ｄ３に基づいて優先度（プライオリティ）の判定を行い、最も優先度が高いと判定されたＣＭデータＤ１を該表示開始時刻に割り付けることにより、スケジュールファイルＤ４を作成する。作成されたスケジュールファイルＤ４は、ＣＭ入力装置１から取得したＣＭデータＤ１とともに、公衆通信回線５を介して各表示制御装置３に送信される。
【００２０】
表示装置の表示部であるモニタ４は、街頭、駅、公共施設等に設置され、１日に複数のＣＭが繰り返し表示されるものである。また、表示装置の表示制御部である表示制御装置３は、スケジュールファイルＤ４に基づいてモニタ４を制御するもので、コンテンツ配信装置２からＣＭデータＤ１とスケジュールファイルＤ４を取得し、スケジュールファイルＤ４に基づいて、複数のＣＭデータＤ１を順次、モニタ４に表示する。
【００２１】
ＣＭ入力装置１に登録されたＣＭ属性情報Ｄ２及び表示条件情報Ｄ３の例について、図２を用いて説明する。図２（ａ）は、ＣＭ１、ＣＭ２、ＣＭ３及びＣＭ４のＣＭ属性情報を示し、図２（ｂ）は、これらＣＭ１〜ＣＭ４の表示条件情報を示している。図２（ａ）に示すように、ＣＭ属性情報Ｄ２には、表示期間、表示可能時間帯、広告種別、広告主、１日の表示回数、該広告情報を表示する天気条件等が含まれる。
【００２２】
また、表示条件情報Ｄ３は、ＣＭを表示する上での様々な制約を設定したもので、例えば連続して表示することができない広告情報の条件等を含んでいる。本実施の形態１では、図２（ｂ）に示すように、表示条件情報Ｄ３として、連続で同じ広告種別のＣＭを表示しない（条件１）、連続で同じ広告主のＣＭを表示しない（条件２）が設定されている。
【００２３】
次に、本実施の形態１における広告情報表示スケジュールの作成方法について、図３を用いて説明する。図３は、コンテンツ配信装置２のスケジュール自動作成機能２３におけるスケジュールファイルＤ４の作成手順を示し、図中、Ｓで始まる数字は作成手順の順番（ステップ）を示している。なお、図３には示していないが、準備ステップとして、モニタ４に表示される複数のＣＭデータＤ１、該ＣＭデータＤ１のＣＭ属性情報Ｄ２及び表示条件情報Ｄ３を取得している。
【００２４】
まず、第１のステップ（Ｓ１）において、モニタ４にＣＭを表示する表示年月日指定情報（何年何月何日のスケジュールを作成するか）を取得する。続いて、第２のステップ（Ｓ２）において、Ｓ１で取得した表示年月日において、モニタ４にＣＭを表示する最初の表示開始時刻を設定する。
【００２５】
次に、第３のステップ（Ｓ３）において、準備ステップで取得した複数のＣＭデータＤ１のＣＭ属性情報Ｄ２及び表示条件情報Ｄ３に基づいて、Ｓ１で取得した表示年月日において設定された表示開始時刻に表示可能な全てのＣＭデータＤ１（ＣＭ素材）を抽出する。
【００２６】
続いて、第４のステップ（Ｓ４）において、Ｓ３で抽出された全てのＣＭデータＤ１に対し、それぞれのＣＭ属性情報Ｄ２及び表示条件情報Ｄ３に基づいて優先度の判定を行う。優先度の判定方法は、例えばＣＭ属性情報Ｄ２に含まれる１日の表示回数を参照し、１日の表示回数が多いものほど優先度が高いと判定する。また、ＣＭ属性情報Ｄ２に含まれる表示可能時間帯を参照し、表示可能時間帯が短いものほど優先度が高いと判定する。従って、１日の表示回数が多く且つ表示可能時間帯が短いものは優先度が高くなる。
【００２７】
また、１日の中で既に表示されたものはその頻度に応じて優先度が低くなり、一定時間内にできるだけ多くの種類のＣＭが偏りなく表示されるように割り付けられる。さらに、表示条件情報Ｄ３に含まれる各種表示条件（連続で同じ広告種別のＣＭを放映しない、連続で同じ広告主のＣＭを表示しない等）を遵守しながら、優先度の判定を行う。
【００２８】
続いて、第５のステップ（Ｓ５）において、Ｓ４で最も優先度が高いと判定されたＣＭデータＤ１を該表示開始時刻に割り付け、スケジュール登録する。登録完了後、第６のステップ（Ｓ６）において、Ｓ５でＣＭデータＤ１を割り付けた表示開始時刻に対し、該ＣＭデータＤ１の表示時間分だけ時刻を進めた次の表示開始時刻を設定する。
【００２９】
さらに、第７のステップ（Ｓ７）では、Ｓ６において設定された次の表示開始時刻が、モニタ４の表示終了時刻に達しているかどうか判定し、表示終了時刻に達していた場合（Ｙｅｓ）、スケジュールファイルＤ４の作成を終了する。Ｓ７で、Ｓ６において設定された表示開始時刻がモニタ４の表示終了時刻に達していない場合（Ｎｏ）にはＳ３に戻り、表示終了時刻に達するまでＳ３〜Ｓ６を繰り返す。
【００３０】
図３を用いて説明したスケジュールファイルＤ４の作成手順により、図２に示すＣＭ１〜ＣＭ４の表示スケジュールを、それぞれのＣＭ属性情報Ｄ２及び表示条件情報Ｄ３に基づいて作成した例を図４に示す。スケジュールファイルＤ４の最初の表示開始時刻（９：００）には、表示可能なＣＭ１〜ＣＭ４の中から、１日の表示回数が最も多いＣＭ１がスケジュール登録されている。
【００３１】
続いて、次の表示開始時刻（９：０１）においては、表示可能ＣＭを抽出する際に、ＣＭ２は、ＣＭ１と広告種別及び広告主が同じであるため、表示条件情報Ｄ３に基づいて連続して表示できないため、ＣＭ３とＣＭ４が表示可能ＣＭとして抽出される。さらに、ＣＭ３とＣＭ４では、１日の表示回数が多く、表示可能時間帯の短いＣＭ３の方が、優先度が高いと判定され、ＣＭ３がスケジュール登録されている。
【００３２】
同様に、次の表示開始時刻（９：０２）においては、ＣＭ１とＣＭ２が表示可能ＣＭとして抽出される。ＣＭ１とＣＭ２では、ＣＭ１の方が１日の表示回数が多く、表示可能時間帯が短いが、ＣＭ１は既に１回スケジュール登録されていることから、今回はＣＭ２の優先度が高くなり、ＣＭ２がスケジュール登録されている。
【００３３】
さらに、次の表示開始時刻（９：０３）においては、ＣＭ３とＣＭ４が表示可能ＣＭとして抽出される。ＣＭ３とＣＭ４では、ＣＭ３の方が１日の表示回数が多く、表示可能時間帯が短いが、ＣＭ３は既に１回スケジュール登録されていることから、今回はＣＭ４の優先度が高くなり、ＣＭ４がスケジュール登録されている。なお、本実施の形態１では、図２（ａ）に示すＣＭ属性情報の天気条件を用いずに優先度の判定を行っている。天気条件を用いた例については、後の実施の形態３で説明する。
【００３４】
以上のように、本実施の形態１に係る広告情報表示システム１００によれば、コンテンツ配信装置２に、ＣＭ属性情報Ｄ２及び表示条件情報Ｄ３に基づいてスケジュールファイルＤ４を作成するスケジュール自動作成機能２３を備えたので、複数のＣＭデータＤ１の表示スケジュールを、広告主との契約による各種表示条件を遵守しながら自動的に作成することが可能である。これにより、従来スケジュール編集作業に費やしていた時間と労力が大幅に削減され、スケジュール編集上のヒューマンエラーを削減することができる。
【００３５】
また、本実施の形態１に係る広告情報表示スケジュールの作成方法によれば、複数のＣＭデータＤ１のＣＭ属性情報Ｄ２及び表示条件情報Ｄ３に基づいて、取得した表示年月日において設定された表示開始時刻に表示可能な全てのＣＭデータＤ１（ＣＭ素材）を抽出し、続いて、抽出された全てのＣＭ素材に対し、それぞれのＣＭ属性情報Ｄ２及び表示条件情報Ｄ３に基づいて優先度の判定を行い、最も優先度が高いと判定されたＣＭ素材を該表示開始時刻に割り付けるようにしたので、モニタ４に繰り返し表示される複数のＣＭデータＤ１の表示スケジュールを、広告主との契約による各種表示条件を遵守しながら容易に作成することが可能である。
【００３６】
実施の形態２．
本発明の実施の形態２に係る広告情報表示システムの構成は、上記実施の形態１と同様であるので、図１を流用して説明する。本実施の形態２では、上記実施の形態１と同様に構成された広告情報表示システムにおいて、突発的な割り込み表示の発生によりスケジュールファイルＤ４に予定されていたＣＭデータＤ１が表示できなかった場合にも、該ＣＭデータＤ１の１日の表示回数を保証するＣＭ表示回数保証機能（図示せず）を備えたものである。
【００３７】
本実施の形態２におけるＣＭ表示回数保証機能について説明する。本実施の形態２では、スケジュール自動作成機能２３は、突発的な割り込み表示の発生により、予め割り付けられていたＣＭデータＤ１が表示できなかった場合に備え、該ＣＭデータＤ１を表示するための代替表示時間帯を確保したスケジュールファイルＤ４を作成する。
【００３８】
また、表示制御部３は、モニタ４に表示されたＣＭデータＤ１が記録された表示ログを取得し、突発的な割り込み表示の発生により表示されなかったＣＭデータＤ１を抽出し、該ＣＭデータＤ１を代替表示時間帯に表示するものである。
【００３９】
本実施の形態２におけるＣＭ表示回数保証機能の処理の流れについて、図５及び図６を用いて説明する。図５は、表示制御装置におけるＣＭ表示回数保証機能の処理の流れを示し、図中、Ｓで始まる数字は処理の順番（ステップ）を示している。また、図６は、本実施の形態２におけるＣＭ表示回数保証機能を説明する図であり、（ａ）はスケジュールファイル、（ｂ）は表示ログをそれぞれ示している。
【００４０】
まず、図５のステップ１１（Ｓ１１）において、表示制御装置３は、モニタ４に表示されたＣＭデータＤ１が記録された表示ログ（図６（ｂ））を取得する。なお、表示制御装置３は、予めコンテンツ配信装置２からスケジュールファイルＤ４（図６（ａ））を取得し、このスケジュールファイルＤ４に基づいてモニタ４を制御している。
【００４１】
Ｓ１１において表示ログを取得した表示制御装置３は、ステップ１２（Ｓ１２）において、割り込み表示発生により表示されなかったＣＭデータＤ１を抽出する。図６（ｂ）では、表示開始時刻９：０２に割り付けられていたＣＭ２が、割り込み映像により表示されていないため、ＣＭ２が抽出される。
【００４２】
続いてステップ１３（Ｓ１３）において、Ｓ１２で抽出されたＣＭ２が保証未達ＣＭとして登録され、ステップ１４（Ｓ１４）において、代替表示時間帯（９：５５）に保証未達ＣＭであるＣＭ２を表示する。なお、保証未達ＣＭがない場合、代替表示時間帯には、予め割り付けられたＣＭデータＤ１（図６ではＣＭ１）が表示される。
【００４３】
本実施の形態２に係る広告情報表示システム１００によれば、上記実施の形態１と同様の効果に加え、ＣＭ表示回数保証機能を備えることにより、突発的な割り込み表示の発生により予定されていたＣＭデータＤ１が表示できなかった場合にも、該ＣＭデータＤ１の１日の表示回数を保証することが可能であり、システムの信頼性が向上する。
【００４４】
実施の形態３．
図７は、本発明の実施の形態３に係る広告情報表示システムの構成を示す概略図である。図７中、図１と同一、相当部分には同一符号を付し、説明を省略する。また、本実施の形態３においてＣＭ入力装置１に登録されるＣＭ属性情報Ｄ２及び表示条件情報Ｄ３は、上記実施の形態１と同様であるので図２を流用して説明する。
【００４５】
本実施の形態３に係る広告情報表示システム１０１では、コンテンツ配信装置２のスケジュール自動作成機能２３において、天気条件を考慮した晴天用スケジュールファイルＤ４１と雨天用スケジュールファイルＤ４２を作成しておき、当日の天気情報Ｄ６に応じて使用するスケジュールファイルを選択するようにしたものである。
【００４６】
図２（ａ）に示すように、ＣＭ属性情報Ｄ２には、該ＣＭデータＤ１を表示する天気条件を含んでいる。例えばＣＭ１とＣＭ２は、天気条件は「特になし」であるが、ＣＭ３は「晴れ」、ＣＭ４は「雨」の時に表示するように指定されている。コンテンツ配信装置２のスケジュール自動作成機能２３は、各ＣＭ属性情報Ｄ２の天気条件を参照して優先度の判定を行い、晴天用スケジュールファイルＤ４１と雨天用スケジュールファイルＤ４２を作成する。
【００４７】
すなわち、図２に示す例では、晴天用スケジュールファイルＤ４１にはＣＭ４はスケジュール登録されず、雨天用スケジュールファイルＤ４２にはＣＭ３はスケジュール登録されない。なお、優先度の判定方法については、天気条件を参照する点以外は上記実施の形態１と同様であり、ＣＭ属性情報Ｄ２に含まれる１日の表示回数や表示可能時間帯を参照して行われる。
【００４８】
コンテンツ配信装置２は、晴天用スケジュールファイルＤ４１と雨天用スケジュールファイルＤ４２の両方をＣＭデータＤ１とともに表示制御装置３に送信する。表示制御装置３は、天気情報サーバ６から取得した当日の天気情報Ｄ６に基づいて、晴天用及び雨天用のいずれかのスケジュールファイルＤ４１、Ｄ４２を選択する。
【００４９】
本実施の形態３に係る広告情報表示システム１０１によれば、上記実施の形態１と同様の効果に加え、コンテンツ配信装置２のスケジュール自動作成機能２３において、天気条件を考慮した晴天用スケジュールファイルＤ４１と雨天用スケジュールファイルＤ４２を作成して表示制御装置３に送信し、表示制御装置３は天気情報サーバ６から天気情報Ｄ６を取得して、使用するスケジュールファイルを選択するようにしたので、リアルタイムで天気情報Ｄ６に合わせたＣＭデータＤ１を表示することが可能である。
【産業上の利用可能性】
【００５０】
本発明は、街頭、駅、公共施設等に設置された複数の表示装置に複数の広告情報を繰り返し表示する広告情報表示システムとして利用することができる。
【符号の説明】
【００５１】
１  ＣＭ入力装置、２  コンテンツ配信装置、３  表示制御装置、４  モニタ、
５  公衆通信回線、６  天気情報サーバ、２１  ＣＭファイルサーバ、
２２  データサーバ、２３  スケジュール自動作成機能、
１００、１０１  広告情報表示システム。
【図１】
0005832137.tif 000002
【図２】
0005832137.tif 000003
【図３】
0005832137.tif 000004
【図４】
0005832137.tif 000005
【図５】
0005832137.tif 000006
【図６】
0005832137.tif 000007
【図７】
0005832137.tif 000008